(57)【特許請求の範囲】
【請求項１】
内容物を収容した本体容器と、該本体容器の一辺部にヒンジ結合された蓋体とからなる平坦な形状のコンパクト容器において、
前記蓋体は、その一辺部に前記本体容器へのヒンジ結合部を備える内蓋と、該内蓋との間に情報シートを封入する差し込み空間部を保持しつつ該内蓋に重ね合わせて接合される透明又は半透明の天蓋とからなり、
且つ前記蓋体は、前記差し込み空間部を開閉する開閉手段を備え、封入される前記情報シートを交換可能となっており、
前記天蓋は、前記内蓋の上面部及び側面部を覆って前記内蓋をはめ込む凹嵌部を有し、前記開閉手段は、前記内蓋の側面部及び前記凹嵌部の内側面部に設けられた係止手段を介して前記内蓋に前記天蓋を着脱可能に取り付けることによって構成されており、
前記係止手段は、前記内蓋の側面部に設けられた係合突起と、前記天蓋の凹嵌部の内側面部に設けられた係合溝とからなり、
前記係合突起は、前記内蓋の一辺部の側面部に設けられた、支持脚の弾性によりたわむことが可能な、アンダーカット部を有するたわみ係合突起と、前記一辺部とは反対側の他方の辺部の側面部に設けられた固定係合突起とからなり、
前記たわみ係合突起及び前記固定係合突起に、前記係合溝が各々係止されて前記天蓋が前記内蓋に接合されている状態から、前記たわみ係合突起をたわませながら前記天蓋を前記他方の辺部側にスライドさせることで、前記固定係合突起の前記係合溝に対する係止状態を開放させ、前記天蓋を上方に持ち上げて内蓋から取り外すことにより、差し込み空間部を開放するコンパクト容器。
【請求項２】
内容物を収容した本体容器と、該本体容器の一辺部にヒンジ結合された蓋体とからなる平坦な形状のコンパクト容器において、
前記蓋体は、その一辺部に前記本体容器へのヒンジ結合部を備える内蓋と、該内蓋との間に情報シートを封入する差し込み空間部を保持しつつ該内蓋に重ね合わせて接合される透明又は半透明の天蓋とからなり、
且つ前記蓋体は、前記差し込み空間部を開閉する開閉手段を備え、封入される前記情報シートを交換可能となっており、
前記天蓋は、固定部とスライド部に２分割されており、前記開閉手段は、前記内蓋に接合固定された前記固定部に対して前記スライド部をスライド移動させて前記差し込み空間部を開閉し、前記情報シートの封入時には、前記固定部と前記スライド部との間の密着接合部分に設けられた係止片による着脱可能な係止手段を介して前記スライド部を前記固定部に固定することにより構成されるコンパクト容器。
【請求項３】
内容物を収容した本体容器と、該本体容器の一辺部にヒンジ結合された蓋体とからなる平坦な形状のコンパクト容器において、
前記蓋体は、その一辺部に前記本体容器へのヒンジ結合部を備える内蓋と、該内蓋との間に情報シートを封入する差し込み空間部を保持しつつ該内蓋に重ね合わせて接合される透明又は半透明の天蓋とからなり、
且つ前記蓋体は、前記差し込み空間部を開閉する開閉手段を備え、封入される前記情報シートを交換可能となっており、
前記天蓋は、固定部と回動部に２分割されており、前記開閉手段は、前記内蓋に接合固定された前記固定部に対して前記回動部を回動させて前記差し込み空間部を開閉し、前記情報シートの封入時には、前記固定部と前記回動部との間の密着接合部分に設けられた係止片による着脱可能な係止手段を介して前記回動部を前記固定部に固定することにより構成されるコンパクト容器。
【請求項４】
前記内容物が化粧料である請求項１〜３のいずれかに記載のコンパクト容器。
【発明の詳細な説明】
【０００１】
【産業上の利用分野】
本発明は、内容物を収容した本体容器と、この本体容器の一辺部にヒンジ結合された蓋体とからなる平坦な形状のコンパクト容器に関する。
【０００２】
【従来の技術及び発明が解決しようとする課題】
化粧料等の内容物を収容した本体容器と、この本体容器の一辺部にヒンジ結合された蓋体とからなるコンパクト容器は、平坦な形状を有し、ハンドバックや鞄に入れて携帯するのに便利な容器である。また蓋体を開いて容器本体の上面全体を開口させて内容物を容易に取り出したり使用したりできる容器である。
【０００３】
従来のコンパクト容器は、収容された内容物が不用になるまで、販売時と同じ外観を保持したまま用いられるものであったため、そのデザインに飽きる場合がある。実開昭５９−１３９２０４号には、コンパクト容器の表面に所望の模様や色彩を任意に施し、多様性のある優れたデザインを得られるようにしたものが開示されているが、販売時の外観を変化させる機能を備えていないため、使用者がその好みに応じたオリジナルなデザインを楽しむことや、四季や使用場所に応じてデザインを取り替えて用いることが困難だった。
【０００４】
本発明は、販売時とは異なる外観に容易に変化させることができ、好みや環境に応じたオリジナルなデザインを楽しむことが可能なコンパクト容器の提供を目的とする。
【０００５】
【課題を解決するための手段】
本発明は、内容物を収容した本体容器と、該本体容器の一辺部にヒンジ結合された蓋体とからなる平坦な形状のコンパクト容器において、前記蓋体は、その一辺部に前記本体容器へのヒンジ結合部を備える内蓋と、該内蓋との間に情報シートを封入する差し込み空間部を保持しつつ該内蓋に重ね合わせて接合される透明又は半透明の天蓋とからなり、且つ前記蓋体は、前記差し込み空間部を開閉する開閉手段を備え、封入される前記情報シートを交換可能としたコンパクト容器を提供することにより、上記目的を達成したものである。
【０００６】
【発明の実施の形態】
図１（ａ）及び（ｂ）に示す本発明の好ましい第１実施形態に係るコンパクト容器１０は、例えば内容物としてファンデーション等の粉末化粧料を収容した矩形形状の平坦な容器であって、本体容器１１と、この本体容器１１の一辺部にヒンジ結合された蓋体１２とからなり、携帯に便利なコンパクトな形状を有する。
【０００７】
また、本第１実施形態によれば、蓋体１２は、本体容器１１へのヒンジ結合部としてその一辺部の両端にヒンジ突起１３を備える内蓋１４と、この内蓋１４との間に情報シート１５を封入する差し込み空間部１６（図２参照）を保持しつつ内蓋１４に重ね合わせて接合される透明又は半透明の天蓋１７とからなる。また、図２（ａ）及び（ｂ）に示すように、天蓋１７は、内蓋１４の上面部１８及び側面部１９を覆って内蓋１４をはめ込む凹嵌部２０を有する。内蓋１４の側面部１９には係合突起２１，２１’が、天蓋１７の凹嵌部２０の内側面部には係合溝２２，２２’が、天蓋１７を内蓋１４に着脱可能に取り付ける際の係止手段として各々設けられている。そして、係合突起２１，２１’を係合溝２２，２２’に係止することにより（図２（ａ）参照）天蓋１７を重ね合わせた状態で内蓋１４に装着固定すると共に、係合突起２１，２１’と係合溝２２，２２’との係止状態を開放して天蓋１７を内蓋１４から取り外すことにより（図２（ｂ）参照）、差し込み空間部１６を開閉して封入される情報シート１５を交換することができるようになっている。
【０００８】
本体容器１１は、図１（ａ）及び（ｂ）に示すように、例えば合成樹脂からなる矩形形状の板状部材であって、その内側には、粉末化粧料を収容する収容凹部２３が上面側に開口して形成されている。また、本体容器１１の一方の長辺部分には、その両端部分を除いて結合支持台２４が側方に突出して設けられている。この結合支持台２４には、蓋体１２の一対のヒンジ突起１３が、両側から挟み込むようにしてヒンジ結合される。
【０００９】
蓋体１２を構成する内蓋１４は、例えば合成樹脂からなる矩形形状の板状部材であって、本体容器１１の平面形状と略同様の平面形状を備え、収容凹部２３の外周部上面に密着して収容凹部２３を開閉する密着板部２６と、密着板部２６の周縁部を残して当該密着板部２６の上面に接合一体化された矩形形状の載置台部２７とからなり、載置台部２７の上面に情報シート１５が配設される。
【００１０】
また密着板部２６の一方の長辺部分の両端部から下方に突出して設けられた一対のヒンジ突起１３は、六面体形状を有し、結合支持台２４に向かって貫通形成されたヒンジ穴２８を備える。このヒンジ穴２８にヒンジピン２９を挿通して当該ヒンジピン２９を本体容器１１の結合支持台２４の両側端面に固定することにより、内蓋１４は本体容器１１に対して上下に回転可能にヒンジ結合される。
【００１１】
載置台部２７のヒンジ突起１３側の一方の長辺部分には、その側面を切り欠いて切り欠き凹部３０が中央を挟んで対称な位置に一対設けられている。これらの切り欠き凹部３０には、たわみ係合突起２１が密着板部２６から立設して各々設けられる（図２（ａ），（ｂ）参照）。すなわち、たわみ係合突起２１は、支持脚３１の弾性により前後にたわむことができるように植設され、その外側の直角三角形状のアンダーカット部が、載置台部２７の側面から外側に突出して配置される。また、載置台部２７の他方の長辺部分の側面には、その中央を挟んで対称な位置に、一対の固定係合突起２１’が直角三角形状のアンダーカット部として外側に突出して設けられている。
【００１２】
蓋体１２を構成する天蓋１７は、例えば透明又は半透明の合成樹脂からなる矩形形状の薄板３２の周縁に矩形枠３３を接合一体化して形成される扁平なコの字状の断面を有するカバー部材であって、矩形枠３３の内側部分が載置台部２７をはめ込む凹嵌部２０を構成する。また、矩形形状の天蓋１７の一対の長辺部分には、矩形枠３３の内側面部における中央を挟んだ対称な位置に、たわみ係合突起２１及び固定係合突起２１’が係止される直角三角形状の一対の係合溝２２，２２’が各々形成されている。そして、天蓋１７は、矩形枠３３の下端面を、載置台部２７の周囲に位置する密着板部２６の周縁部分の上面に当接させることにより、載置台部２７の上面との間に情報シート１５を封入する差し込み空間部１６を保持しつつ、載置台部２７の上面部１８及び側面部１９を覆って内蓋１４に重ね合わせて装着固定される。
【００１３】
差し込み空間部１６に封入される情報シート１５は、載置台部２７の上面に載置し得る大きさを有する厚さが５０〜２００μｍ程度のフィルム状部材やシート状部材であって、その表面に絵や写真等からなる装飾や、文字や記号等からなる情報が、使用者の好みに応じて描かれたものである。
【００１４】
本第１実施形態のコンパクト容器１０によれば、差し込み空間部１６に封入される情報シート１５を販売時とは異なるものと交換して、使用者の好みや環境に応じたオリジナルなデザインを容易に楽しむことができる。
【００１５】
すなわち、販売時の情報シート１５が差し込み空間部１６に封入され、たわみ係合突起２１及び固定係合突起２１’に係合溝２２，２２’が各々係止されて天蓋１７が内蓋１４に接合されている状態から（図２（ａ）参照）、天蓋１７をヒンジ結合部から離れる方向Ｘにスライドさせれば（図２（ｂ）参照）、たわみ係合突起２１の支持脚３１がＸ方向にたわんで、固定係合突起２１’の係合溝２２’に対する係止状態がスムースに開放されるので、天蓋１７を上方に持ち上げて内蓋１４から取り外すことにより、差し込み空間部１６を容易に開放することができる。これによって情報シート１５を所望のシートに容易に交換することができる。
【００１６】
情報シート１５を交換したら、天蓋１７の各長辺部分を内蓋１４の長辺部分に位置あわせしてそのまま下方に押し込む。これによって、たわみ係合突起２１の支持脚３１をＸ方向にたわませつつ天蓋１７が下方に移動し、矩形枠３３の下端面が密着板部２６の周縁部分に当接すると、たわんだ支持脚３１がその弾性により直立に復元して、たわみ係合突起２１が係合溝２２に嵌合係止されると共に、天蓋１７はＸ方向と反対方向にスライド移動し、固定係合突起２１’が係合溝２２’に嵌合係止されて、情報シート１５を封入した状態で差し込み空間部１６を容易に閉塞することができる。
【００１７】
このように、本第１実施形態によれば、差し込み空間部１６を開閉して情報シート１５を交換するで好みに応じて容器１０の外観を変化させて、カスタマイズ化を容易に図ることができる。また情報シート１５の封入時における差し込み空間部１６は、その周囲が内蓋１４、天蓋１７の薄板３２及び天蓋１７の矩形枠３３によって覆われて、髪の毛や埃等を侵入させない程度の密閉性を備えるので、これらの侵入によって外観を損なうことがなく、化粧品用の容器としての清潔感を容易に保持することができる。さらに、天蓋１７を内蓋１４から取り外すには、天蓋１７を内蓋１４に対してＸ方向にスライドさせる工程と、天蓋１７を上方に持ち上げる工程の２工程を必要とするので、例えば落下時の衝撃等によっても天蓋１７が外れにくく、その外観を容易に保持することができる。
【００１８】
図３（ａ）及び（ｂ）は本発明の第２実施形態に係るコンパクト容器４０を示すものである。本第２実施形態のコンパクト容器４０によれば、粉末化粧料を収容する収容凹部４１が開口形成された矩形形状の本体容器４２の一方の長辺部分には、その両端部分にヒンジ穴４４が形成された一対の結合支持突起４３が側方に突出して設けられている。これらの結合支持突起４３の間には蓋体４５のヒンジ台４６が挟み込まれるようにしてヒンジ結合される。
【００１９】
蓋体４５を構成する内蓋４８は、本体容器４２と略同様の矩形の平面形状を有する板状部材であって、収容凹部４１の外周部上面に密着して収容凹部４１を開閉する。内蓋４８の一方の長辺部分には、その両端部分を除いて縁部から下方に突出するヒンジ台４６が設けられている。このヒンジ台４６を本体容器４２の結合支持突起４３の間に挟み込んで配置し、ヒンジ穴４４にヒンジピン４９を挿通して当該ヒンジピン４９をヒンジ台４６の両側端面に固定することにより、内蓋４８は本体容器４１に対して上下に回転可能にヒンジ結合される。また内蓋４８の上面には情報シート１５が配設される。
【００２０】
蓋体４５を構成する天蓋４７は、扁平なコの字状の断面を有するカバー部材であって、ヒンジ結合部側に配置されるスライド部５０と、ヒンジ結合部と反対側に配置される固定部５１とに２分割されている。固定部５１は、その周縁の下端当接面が内蓋４８の上面周縁部に超音波接着等を介して接合一体化され、内蓋４８の上面との間に、情報シート１５を差し込む差し込み空間部５２を保持した状態で当該内蓋４８に重ね合わて取り付けられる。また、固定部５１の側壁部５３の端面からヒンジ結合部側に突出してスライドレール５４が延設されており、スライド部５０はスライドレール５４により案内されて、進退することにより、差し込み空間部５２を開閉する。なお、固定部５１とスライド部５０との間の密着接合部分には、アンダーカットされた係止片等による着脱可能な係止手段が設けられており、差し込み空間部５２への情報シート１５の封入時には、スライド部５０を固定部５１に確実に固定して差し込み空間部５２が不用意に開かないように構成されている。
【００２１】
本第２実施形態のコンパクト容器４０によっても、スライド部５０をスライドさせて差し込み空間部５２を開閉しつつ、情報シート１５を適宜交換して、第１実施形態のコンパクト容器１０と略同様の作用効果を奏する。
【００２２】
図４（ａ）及び（ｂ）は本発明の第３実施形態に係るコンパクト容器６０を示すものである。本第３実施形態のコンパクト容器６０によれば、粉末化粧料を収容する収容凹部６１が開口形成された矩形形状の本体容器６２の一方の長辺部分には、その両端部から僅かに内側に位置して、ヒンジ穴６４が形成された一対の結合支持突起６３が側方に突出して設けられている。これらの結合支持突起６３の間には蓋体６５のヒンジ台６６が挟み込まれるようにしてヒンジ結合され、また結合支持突起６３の外側には、天蓋６７の回動部６８がヒンジ結合される。
【００２３】
蓋体６５を構成する内蓋６９は、本体容器６２と略同様の矩形の平面形状を有する板状部材であって、収容凹部６１の外周部上面に密着して収容凹部６１を開閉する。内蓋６９の一方の長辺部分には、その両端部分を除いて縁部から下方に突出するヒンジ台６６が設けられている。このヒンジ台６６を本体容器６２の結合支持突起６３の間に挟み込んで配置し、結合支持突起６３の外側に回動部６８のヒンジ結合突起７０を配置して、合致させたヒンジ結合突起７０のヒンジ穴７１と結合支持突起６３のヒンジ穴６４にヒンジピン７２を挿通し、当該ヒンジピン７２をヒンジ台６６の両側端面に固定することにより、内蓋６９は本体容器６１に対して上下に回転可能にヒンジ結合されると共に、回動部６８もまた本体容器６１に対して上下に回転可能にヒンジ結合される。なお、内蓋６９の上面には情報シート１５が配設される。
【００２４】
蓋体６５を構成する天蓋６７は、扁平なコの字状の断面を有するカバー部材であって、ヒンジ結合部側に配置される回動部６８と、ヒンジ結合部と反対側に配置される固定部７４とに２分割されている。固定部７４は、その周縁の下端当接面が内蓋６９の上面周縁部に超音波接着等を介して接合一体化され、内蓋６９の上面との間に、情報シート１５を差し込む差し込み空間部７５を保持した状態で当該内蓋６９に重ね合わされる。また、回動部６８は、上述のように本体容器６１にヒンジ結合され、上下に回動して差し込み空間部７５を開閉する。なお、固定部７４と回動部６８との間の密着接合部分には、アンダーカットされた係止片等による着脱可能な係止手段が設けられており、差し込み空間部７５への情報シート１５の封入時には、回動部６８を固定部７４に確実に固定して差し込み空間部７５が不用意に開かないように構成されている。
【００２５】
本第３実施形態のコンパクト容器６０によっても、回動部６８を回転させて差し込み空間部７５を開閉しつつ、情報シート１５を適宜交換して、第１実施形態のコンパクト容器１０と略同様の作用効果を奏する。
【００２６】
なお、本発明のコンパクト容器は、上記各実施形態に限定されることなく種々の変更が可能である。例えば、本発明のコンパクト容器は、粉末化粧料以外の化粧料や、その他の内容物を収容する容器として使用することもできる。また、本発明のコンパクト容器は、必ずしもその全てが合成樹脂製のものである必要はない。
【００２７】
【発明の効果】
本発明のコンパクト容器によれば、販売時とは異なる外観に容易に変化させることができ、好みや環境に応じたオリジナルなデザインを容易に楽しむことができる。
【図面の簡単な説明】
【図１】（ａ）は本発明の第１実施形態に係るコンパクト容器の分解斜視図、（ｂ）は組み立てた状態の斜視図である。
【図２】（ａ）は蓋体の内蓋に天蓋を係止した状態を説明する略示断面図、（ｂ）は係止状態を解除した状態を説明する略示断面図である。
【図３】（ａ）は本発明の第２実施形態に係るコンパクト容器の分解斜視図、（ｂ）は組み立てた状態の斜視図である。
【図４】（ａ）は本発明の第３実施形態に係るコンパクト容器の分解斜視図、（ｂ）は組み立てた状態の斜視図である。
【符号の説明】
１０，４０，６０  コンパクト容器
１１，４２，６２  本体容器
１２，４５  蓋体
１３  ヒンジ突起
１４，４８，６９  内蓋
１５  情報シート
１６，５２，７５  差し込み空間部
１７，４７，６７  天蓋
１８  内蓋の上面部
１９  内蓋の側面部
２０  凹嵌部
２１  たわみ係合突起
２１’  固定係合突起
２２，２２’  係合溝
２３，４１，６１  収容凹部
２４  結合支持台
２６  密着板部
２７  載置台部
２８，４４，６４，７１  ヒンジ穴
２９，４９，７２  ヒンジピン
３０  切り欠き凹部
３１  支持脚
３２  薄板
３３  矩形枠
４３，６３  結合支持突起
４６，６６  ヒンジ台
５０  スライド部
５１  固定部
５３  側壁部
５４  スライドレール
６８  回動部
７０  ヒンジ結合突起
７４  固定部
【図１】
0004518658.tif 000002
【図２】
0004518658.tif 000003
【図３】
0004518658.tif 000004
【図４】
0004518658.tif 000005